(57)【要約】  【課題】  出力処理の実行中に出力条件を変更することができる画像出力装置及び画像出力方法の提供。  【解決手段】  出力処理の実行中に割込みキーが押下操作された場合（Ｓ１７：ＹＥＳ）、原稿の給送を中断し（Ｓ１８）、出力条件の変更を受付ける（Ｓ１９）。出力条件が変更されたと判断した場合（Ｓ２０：ＹＥＳ）、搬送路の切替えを行い（Ｓ２１）、原稿の給送を再開させる（Ｓ２２）。そして、給送された原稿から画像を読取り（Ｓ２３）、変更された出力条件にて出力処理を実行する（Ｓ２４）。【選択図】      図５
2007019659.tif 000002
【特許請求の範囲】
【請求項１】
画像データ及び該画像データを出力する際に満たすべき出力条件を受付け、受付けた画像データ及び出力条件に基づいて出力処理を実行する画像出力装置において、
前記出力処理の実行中に出力条件の変更要求を受付ける受付手段と、該受付手段にて出力条件の変更要求を受付けた場合、実行中の出力処理について出力条件を変更する手段とを備えることを特徴とする画像出力装置。
【請求項２】
出力条件の変更要求を受付けた場合に実行中の出力処理を停止させる手段と、出力条件が変更された後に停止させた出力処理の実行を再開させる手段とを備えることを特徴とする請求項１に記載の画像出力装置。
【請求項３】
前記受付手段は、複数の出力条件を表示する手段と、表示した出力条件から変更後の出力条件について選択を受付ける手段とを備えることを特徴とする請求項１又は請求項２に記載の画像出力装置。
【請求項４】
前記受付手段は、外部から送信された変更要求を受信する手段であることを特徴とする請求項１又は請求項２に記載の画像出力装置。
【請求項５】
変更後の出力条件に係る情報を表示する手段を備えることを特徴とする請求項１乃至請求項４の何れか１つに記載の画像出力装置。
【請求項６】
前記画像データに基づいてシート上に画像を形成する画像形成手段を備え、前記出力処理は、前記画像形成手段によりシート上に画像を形成する処理であることを特徴とする請求項１乃至請求項５の何れか１つに記載の画像出力装置。
【請求項７】
前記画像を形成したシートが排出される複数の排出部と、出力条件の変更前後でシートの排出先を変更する手段とを備えることを特徴とする請求項６に記載の画像出力装置。
【請求項８】
前記画像データを外部へ送信する送信手段を備え、前記出力処理は、前記送信手段により画像データを外部へ送信する処理であることを特徴とする請求項１乃至請求項５の何れか１つに記載の画像出力装置。
【請求項９】
画像データ及び該画像データを出力する際に満たすべき出力条件を受付け、受付けた画像データ及び出力条件に基づいて出力処理を実行する画像出力方法において、
前記出力処理の実行中に出力条件の変更要求を受付けるステップと、該ステップにて出力条件の変更要求を受付けた場合、実行中の出力処理について出力条件を変更するステップとを備えることを特徴とする画像出力方法。
【発明の詳細な説明】
【技術分野】
【０００１】
本発明は、出力処理の実行中に出力条件を変更することができる画像出力装置及び画像出力方法に関する。
【背景技術】
【０００２】
複数の原稿を原稿トレイに積層した状態でセットしておき、この原稿トレイから原稿を画像読取装置へ自動的に順次搬送し、原稿に記録されている画像を順次的に読取らせる原稿読取装置が近年の画像形成装置等に組み込まれていることが多い。このような原稿読取装置が組み込まれている画像形成装置等では、原稿の読取り、読取った画像に基づく出力処理が効率的に行えるようになっている。更に、デジタル技術の進歩に伴って、原稿からの画像の読取り及びその結果の電子データへの変換、並びにそのようにして得られた電子データからの画像形成の速度がますます高速化している（例えば、特許文献１，２等参照）。
【０００３】
このような事情から、より多数枚の原稿を高速処理するために、前述したような原稿読取装置では原稿トレイに一度に収容させることができる原稿の枚数が、１００〜２００枚程度と非常に多くなっている。
【特許文献１】特開平５−９４０６３号公報
【特許文献２】特開平７−３０１９６２号公報
【発明の開示】
【発明が解決しようとする課題】
【０００４】
このような画像形成装置を用いて原稿のコピーを行う場合、例えば、操作パネルにて印刷部数、倍率、印刷濃度、集約印刷、両面コピー等の出力条件の設定を受付けた後に原稿の読取りを開始させる。画像形成装置では、設定された出力条件に従って出力処理を行い、原稿の複写物を排紙トレイ上に排出させる。このとき利用者は排出された複写物を確認することによって、設定通りに出力されているか否かを確認することができる。
【０００５】
ところで、操作が不慣れな場合、又は設定ミス等により、必ずしも利用者が想定している通りに出力されないことがある。この場合、従来では実行中の出力処理を一旦停止させ、出力条件の設定をクリアした後、原稿を再セットし、出力条件を設定し直して原稿の読取りを開始させる必要があった。したがって、複写物の完成を急ぐ場合には出力処理の実行中であっても出力条件の変更を受付け、新たに受付けた出力条件で出力処理を継続することにより、装置の稼働効率を向上させることが望まれている。
【０００６】
本発明は斯かる事情に鑑みてなされたものであり、出力処理の実行中に出力条件の変更要求を受付け、出力条件の変更要求を受付けた場合、実行中の出力処理について出力条件を変更する構成とすることにより、出力処理の実行中であっても出力条件を変更することができ、装置の稼働効率を向上させることができる画像出力装置及び画像出力方法を提供することを目的とする。
【課題を解決するための手段】
【０００７】
本発明に係る画像出力装置は、画像データ及び該画像データを出力する際に満たすべき出力条件を受付け、受付けた画像データ及び出力条件に基づいて出力処理を実行する画像出力装置において、前記出力処理の実行中に出力条件の変更要求を受付ける受付手段と、該受付手段にて出力条件の変更要求を受付けた場合、実行中の出力処理について出力条件を変更する手段とを備えることを特徴とする。
【０００８】
本発明にあっては、出力処理の実行中に出力条件の変更要求を受付けた場合、実行中の出力処理について出力条件を変更するようにしているため、出力処理が実行中である場合であっても、出力処理を一旦停止させて出力条件の再設定を行うことなく、出力条件の変更が可能となる。出力条件の変更によって、例えば、片面印刷から両面印刷への切替え、通常印刷から集約印刷への切替え、用紙、倍率、濃度の切替え等が可能となる。
【０００９】
本発明に係る画像出力装置は、出力条件の変更要求を受付けた場合に実行中の出力処理を停止させる手段と、出力条件が変更された後に停止させた出力処理の実行を再開させる手段とを備えることを特徴とする。
【００１０】
本発明にあっては、出力条件の変更要求を受付けた場合に実行中の出力処理を停止させ、出力条件が変更された後に停止させた出力処理の実行を再開させるようにしているため、出力処理を変更する際に利用者に時間的猶予を与える。
【００１１】
本発明に係る画像出力装置は、前記受付手段は、複数の出力条件を表示する手段と、表示した出力条件から変更後の出力条件について選択を受付ける手段とを備えることを特徴とする。
【００１２】
本発明にあっては、表示手段に表示させた複数の出力条件から選択を受付けるようにしているため、例えば、タッチパネルを搭載した操作パネルを利用して出力条件の変更要求を受付けることにより、出力条件が変更される。
【００１３】
本発明に係る画像出力装置は、前記受付手段は、外部から送信された変更要求を受信する手段であることを特徴とする。
【００１４】
本発明にあっては、外部から送信された変更要求を受信するようにしているため、例えば、画像出力装置に接続されたパーソナルコンピュータから印刷情報のコマンドを受付けることにより、出力条件が変更される。
【００１５】
本発明に係る画像出力装置は、変更後の出力条件に係る情報を表示する手段を備えることを特徴とする。
【００１６】
本発明にあっては、変更後の出力条件についての情報を表示するため、出力条件が変更された旨の情報、出力後の出力形式についての情報が利用者に報知される。
【００１７】
本発明に係る画像出力装置は、前記画像データに基づいてシート上に画像を形成する画像形成手段を備え、前記出力処理は、前記画像形成手段によりシート上に画像を形成する処理であることを特徴とする。
【００１８】
本発明にあっては、画像データに基づく画像をシート上に形成することにより出力処理を行う。
【００１９】
本発明に係る画像出力装置は、前記画像を形成したシートが排出される複数の排出部と、出力条件の変更前後でシートの排出先を変更する手段とを備えることを特徴とする。
【００２０】
本発明にあっては、画像データを外部へ送信することにより出力処理を行う。
【００２１】
本発明に係る画像出力装置は、前記画像データを外部へ送信する送信手段を備え、前記出力処理は、前記送信手段により画像データを外部へ送信する処理であることを特徴とする。
【００２２】
本発明にあっては、出力条件の変更でシートの排出先を変更するようにしているため、出力条件を変更する前に画像形成されたシートと出力条件が変更された後に画像形成されたシートとが混ざることがない。
【００２３】
本発明に係る画像出力方法は、画像データ及び該画像データを出力する際に満たすべき出力条件を受付け、受付けた画像データ及び出力条件に基づいて出力処理を実行する画像出力方法において、前記出力処理の実行中に出力条件の変更要求を受付けるステップと、該ステップにて出力条件の変更要求を受付けた場合、実行中の出力処理について出力条件を変更するステップとを備えることを特徴とする。
【００２４】
本発明にあっては、出力処理の実行中に出力条件の変更要求を受付けた場合、実行中の出力処理について出力条件を変更するようにしているため、出力処理が実行中である場合であっても、出力処理を一旦停止させて出力条件の再設定を行うことなく、出力条件の変更が可能となる。
【発明の効果】
【００２５】
本発明による場合は、出力処理の実行中に出力条件の変更要求を受付けた場合、実行中の出力処理について出力条件を変更するようにしている。したがって、出力処理が実行中である場合であっても、出力処理を一旦停止させて出力条件の再設定を行う必要がなくなり、装置の稼働効率を向上させることができる。
【００２６】
本発明による場合は、出力条件の変更要求を受付けた場合に実行中の出力処理を停止させ、出力条件が変更された後に停止させた出力処理の実行を再開させるようにしている。したがって、出力処理を変更する際に利用者に時間的猶予を与えることができ、再設定時の設定ミスを防止することができる。
【００２７】
本発明による場合は、表示手段に表示させた複数の出力条件から選択を受付けるようにしている。したがって、例えば、タッチパネルを搭載した操作パネルを利用することにより、出力条件の変更要求を受付けることができる。
【００２８】
本発明による場合は、外部から送信された変更要求を受信するようにしているため、例えば、画像出力装置に接続されたパーソナルコンピュータから印刷情報のコマンドを受付けることにより、出力条件の変更要求を受付けることができる。
【００２９】
本発明による場合は、変更後の出力条件についての情報を表示するため、出力条件が変更された旨の情報、出力後の出力形式についての情報を利用者に報知することができる。
【００３０】
本発明による場合は、画像データに基づく画像をシート上に形成することにより出力処理を行うため、プリンタ装置、複写機、デジタル複合機等に適用することができる。
【００３１】
本発明による場合は、画像データを外部へ送信することにより出力処理を行うため、スキャナ装置、デジタル複合機等に適用することができる。
【００３２】
本発明による場合は、出力条件の変更でシートの排出先を変更するようにしている。したがって、出力条件を変更する前に画像形成されたシートと出力条件が変更された後に画像形成されたシートとが混ざることがなくなり、利用者はそれらを容易に区別することができる。
【発明を実施するための最良の形態】
【００３３】
以下、本発明に係る画像出力装置をスキャナ機能、コピー機能、イメージ送信機能、プリンタ機能を有するデジタル複合機に適用した形態について図面を用いて具体的に説明する。
実施の形態１．
図１は本実施の形態に係るデジタル複合機１００の内部構成を示す模式的断面図である。デジタル複合機１００の最上段には原稿読取部１０が設けられており、その下側に画像形成部２０及び給紙部５０が並設され、更にそれらの下側に給紙部５０が配置されている。
【００３４】
原稿読取部１０は、複数の原稿を順次的に取込むためのＡＤＦ、及び読取るべき原稿を整列させた状態で載置するための原稿台１１ｂ、ＡＤＦによって取込まれた原稿、又は原稿台１１ｂに載置された原稿の画像を読み取る光学式読取ユニットを備えている。
【００３５】
原稿読取部１０に搭載されているＡＤＦは、読取用の原稿をフェイスアップの状態で積層するための原稿トレイ１１ａ、載置された原稿の幅方向の位置を規制する原稿規制板１２ａ、原稿トレイ１１ａに積層された原稿を最上層から１枚ずつ取り込むための呼込ローラ１３ａ、呼込ローラ１３ａにより取り込んだ原稿を原稿台１１ｂまで搬送する搬送ローラ１３ｂ，１３ｃ、原稿台１１ｂ上の原稿を排紙トレイ１６の方向へ又はその逆の方向へ搬送する搬送ベルト１３ｄ、画像を読み取った後に原稿を排紙トレイ１６へ排出する排紙ローラ１３ｅ，１３ｆにより構成されている。
【００３６】
また、ＡＤＦは、原稿台１１ｂから排紙トレイ１６の方向とは逆の方向へ搬送ベルト１３ｄによって搬送された原稿を搬送経路Ｓ３へ誘導する搬送ローラ１３ｇ、搬送ローラ１３ｇによって搬送された原稿をそのまま搬送ローラ１３ｃまで搬送する搬送ローラ１３ｈを更に備えている。これにより、ＡＤＦは、原稿トレイ１１ａ上に積層された原稿を最上層から１枚ずつ取り込んで原稿台１１ｂまで搬送し、原稿の表面に記録された画像を読み取った後、搬送ローラ１３ｇ，１３ｈによって表裏反転させた上で再度原稿台１１ｂまで搬送し、原稿の裏面に記録された画像を読み取るように構成されている。また、表面及び裏面を読み取られた原稿は、排紙トレイ１６へ排出される。
【００３７】
原稿読取部１０に搭載されている光学式読取ユニットは、原稿の表面に記録された画像を読み取るために光源ユニット１５、ミラーユニット１７、結像レンズ１８、及びＣＣＤラインセンサ１９等を備えている。
【００３８】
光源ユニット１５は、露光ランプから照射される読取用の照明光を凹面のリフレクタにより原稿台１１ｂの適宜の読取り位置に集光させ、原稿台１１ｂの面に対して反射面を４５°に設置したミラーによって原稿からの反射光の光路を９０°変更し、ミラーユニット１７へと導くように構成されている。ミラーユニット１７は、光源ユニット１５のミラーによって光路を９０°変更された光の光路を更に１８０°変更するために、反射面が相互に直交するように配置された一対のミラーを備えている。ＡＤＦから供給される原稿を読取る場合には、光源ユニット１５を所定の読取り位置に保持した状態で画像を読み取り、原稿台１１ｂにセットされた原稿を読取る場合には、光源ユニット１５を原稿台１１ｂの面に平行に走査させるように構成されている。
【００３９】
ミラーユニット１７によって導かれた光は結像レンズ１８の作用によりＣＣＤラインセンサ１９に結像する。ＣＣＤラインセンサ１９は入力された光をその光量に応じたアナログ電気信号に変換して出力する。ＣＣＤラインセンサ１９から出力されたアナログ電気信号は、図に示していないＡＤ変換器によりデジタル信号に変換され、原稿読取時の光源の配光特性、ＣＣＤラインセンサ１９の感度ムラ等の補正が施された後、画像データとして生成される。生成された画像データは後述する画像処理部１０７（図４参照）へ出力される。
【００４０】
画像形成部２０は、感光体ドラム２３、感光体ドラム２３を帯電させる帯電器２５、帯電した感光体ドラム２３上に潜像を書き込むレーザ書込装置２１、感光体ドラム２３上の潜像を現像する現像器２２、感光体ドラム２３上に残留している現像剤を除去して感光体ドラム２３を再生するクリーニングユニット２４等からなる電子写真方式のプロセス部を備えており、このプロセス部に用紙を搬送することによって画像形成を行う。
【００４１】
また、画像形成部２０は、プロセス部の下方（上流側）に用紙を収容するための給紙カセット３０を備えており、用紙搬送路Ｓ１の近傍に設けられたピックアップローラ３０ａによって収容された用紙を１枚ずつ分離給送する。給紙カセット３０から分離給送された用紙がプロセス部へ搬送された場合、その用紙はレジストローラ３１によって一旦保持される。レジストローラ３１は、図に示していないレジスト前検知スイッチの検知信号に基づいて、感光体ドラム２３上のトナー像の先端を、用紙の画像形成領域の先端に合わせるタイミングに制御して、感光体ドラム２３の回転に合わせてプロセス部へ搬送するようにしている。
【００４２】
更に、画像形成部２０の下側には給紙部５０が設置されており、複数種の用紙を収容するために給紙カセット５１，５２，５３が設けられている。給紙部５０では、前述と同様に、給紙カセット５１，５２，５３が夫々備えるピックアップローラ５１ａ，５２ａ，５３ａにより収容された用紙が１枚ずつ分離給送され、用紙搬送路Ｓ１を通じて画像形成部２０のプロセス部へ搬送される。
【００４３】
プロセス部にてトナー像が転写された用紙は、プロセス部の下流側に設置された定着ユニット２７へと搬送される。定着ユニット２７は、ヒートローラ及び加圧ローラを備えており、これら２つのローラによりトナー像が転写された用紙を挟んで回転させ、ヒートローラの熱によりトナー像を用紙上に加熱定着させる。
【００４４】
定着ユニット２７によりトナー像を加熱定着させた用紙は、本デジタル複合機１００が備える幾つかの排紙トレイの何れかに排出される。デフォルトの設定では、排紙すべき用紙が排紙トレイ３４に導かれるように搬送ローラ３２及び切替ゲート３３が制御され、排紙ローラ３４ａを通じてフェイスダウンの状態で排紙トレイ３４上に排出される。一方、排紙部４０が備える排紙トレイ４１に用紙を排出することが指定されている場合、切替ゲート３３を切替えて搬送ローラ３５により排紙部４０に用紙を導き、切替ゲート４１ａ及び排紙ローラ４１ｂを通じて排紙トレイ４１上に用紙を排出する。排紙トレイ４２（又は排紙トレイ４３）に排出する場合も同様であり、切替ゲート４１ａ，４２ａ，４３ａにより搬送経路を制御し、排紙ローラ４２ｂ（又は排紙ローラ４３ｂ）を駆動することにより目的のトレイに用紙を排出する。
【００４５】
また、フェイスアップの状態で用紙を排出する場合、又は用紙の両面に画像形成を行う場合には、搬送ローラ３２，３５により用紙を一旦把持した後、搬送ローラ３２，３５を逆方向に回転駆動させて搬送ローラ３６により両面原稿搬送路Ｓ２へ用紙を導く。フェイスアップの状態で排紙を行う場合には、排紙ローラ３７ａを通じて排紙トレイ３７へ排出する。また、用紙の両面に画像形成を行う場合には、両面原稿搬送路Ｓ２を介して再び画像形成部２０のレジストローラ３１へ導き、画像形成部２０のプロセス部において用紙の裏面側にトナー像の形成を行う。なお、両面原稿搬送路Ｓ２の下端側には手差トレイ３８が設置されており、給紙カセット３０，５１，５２，５３に収容されていない種類の用紙をピックアップローラ３８ａにより取り込めるようにしている。
【００４６】
以上の構成のデジタル複合機１００を用いて原稿のコピーを行う場合、用紙の種類、コピー濃度、倍率等の出力条件を入力した後、読取開始指示を与えてコピー動作を開始させる。また、本デジタル複合機１００では、コピー動作が開始された後であっても出力条件の変更を可能にしている。これら出力条件の入力、出力条件の変更は操作パネル１０５（図２参照）を通じて受付ける。操作パネル１０５は、例えば、デジタル複合機１００の正面であって原稿読取部１０の近傍に設けられている。
【００４７】
図２は操作パネル１０５の一例を示す模式図である。操作パネル１０５は、液晶ディスプレイを備える表示部１０５ａと、各種のハードウェアキーとを備えている。操作パネル１０５が備えるハードウェアキーとしては、出力処理の実行中に出力条件を変更する際に押下操作される割込みキー１０５ｂ、数値入力のためのテンキー１０５ｃ、設定した条件をクリアするためのクリアキー１０５ｄ、設定した条件を全解除するための全解除キー１０５ｅ、原稿の読取開始指示を与えるためのスタートキー１０５ｆ等が挙げられる。
【００４８】
また、表示部１０５ａにはタッチパネルが設けられており、各種のソフトウェアキーを配置することによって利用者による選択操作を受付けるように構成されている。図２の表示部１０５ａに示した画面に配置されているソフトウェアキー１〜６では原稿をコピーする際の出力条件を受付ける。これらのソフトウェアキー１〜６が押下操作された場合、それぞれ、穿孔処理、ステープル処理等の特別機能についての設定、両面コピーに関する設定、集約コピーに関する設定、コピー濃度についての設定、用紙設定、倍率設定を受付けるようにしている。これらの設定が行われた後にスタートキー１０５ｆが押下操作された場合、原稿トレイ１１ａ又は原稿台１１ｂに載置された原稿の読取りが開始され、設定した出力条件に従って出力処理が実行される。なお、この画面にて設定が行われずにスタートキー１０５ｆが押下操作された場合であっても、装置内部で予め設定されているデフォルトの出力条件に従って出力処理が実行される。
【００４９】
本実施の形態では、出力処理の実行中に割込みキー１０５ｂが押下操作された場合、原稿の読取りを一時的に中断させ、出力条件の変更を受付けるための設定画面を操作パネル１０５の表示部１０５ａに表示させる。図３は操作パネル１０５の表示部１０５ａに表示される画面の一例を示す模式図である。図３（ａ）は出力条件の設定変更を受付けるための設定画面２００を示しており、設定変更を受付けるためのソフトウェアキー２０１〜２０６が配置されている。これらのソフトウェアキー２０１〜２０６では、コピー部数の設定変更、用紙設定の変更、倍率の変更、両面コピーに関する設定の変更、集約コピーに関する設定の変更、後処理に関する設定の変更を受付けるようにしている。また、設定画面２００の右上には、設定変更をキャンセルするためにキャンセルキー２０７が配置されている。
【００５０】
図３（ｂ）は出力条件の設定変更を受付けた際に表示するメッセージ画面の一例を示している。例えば、３頁目の原稿について出力処理を実行している最中に割込みキー１０５ｂが押下操作され、出力条件が「片面印刷」から「両面印刷」に変更された場合、その旨を利用者に報知するために図３（ｂ）に示したようなメッセージ画面２１０を表示部１０５ａに表示するようにしている。このようなメッセージ画面２１０にてキャンセルキー２１１が押下操作された場合、出力条件の変更が解除され、実行キー２１２が押下操作された場合、出力条件が変更された上で出力処理が再開される。
【００５１】
以下、デジタル複合機１００の動作について説明する。図４はデジタル複合機１００の制御系の構成を説明するブロック図である。デジタル複合機１００はＣＰＵ１０１を備えており、このＣＰＵ１０１には、前述した原稿読取部１０、画像形成部２０、操作パネル１０５の他、ＲＯＭ１０３、ＲＡＭ１０４、画像処理部１０７、通信ＩＦ１０８、駆動制御部１０９、ＨＤＤ１１１が接続されている。ＣＰＵ１０１は、ＲＯＭ１０３に予め格納されている制御プログラムをＲＡＭ１０４上にロードして実行することにより、前述の各種ハードウェアの制御を行い、装置全体を本発明に係る画像出力装置として動作させる。
【００５２】
画像処理部１０７は、原稿読取部１０が取得した画像データに対し、操作パネル１０５を通じて入力された出力条件に従って画像処理を施す。そのため、画像処理部１０７は、原稿読取部１０が取得した頁単位の画像データを一時的に保持する画像メモリ（入力バッファ）、入力バッファに保持された画像データに対して画像処理を施す画像処理回路、画像処理を施した後の画像データを保持する画像メモリ（出力バッファ）を備えている。ＣＰＵ１０１は、出力バッファに保持された画像データを取り出すことにより、画像処理後の画像データを取得する。また、画像処理部１０７では、原稿読取部１０が取得した画像データだけでなく、通信ＩＦ１０８にて受信したプリントジョブを展開することにより得られる画像データについても画像処理を施すことができるように構成されている。
【００５３】
通信ＩＦ１０８は、ローカルエリアネットワーク、インターネット網等の通信ネットワークＮに接続するためのインタフェースを備えている。通信ネットワークＮには、デジタル複合機１００に送信するプリントジョブを生成するためのプリンタドライバ、及びデジタル複合機１００でのプリントジョブの実行状況を監視するためのプリントモニタが予めインストールされた情報処理装置ＰＣが接続されている。通信ＩＦ１０８は、情報処理装置ＰＣから送信されるプリントジョブ、各種要求等を受信すると共に、プリントジョブの実行状況等の情報を情報処理装置ＰＣへを送信する。通信ＩＦ１０８ではこのような各種情報の送受信の制御を行う。
【００５４】
駆動制御部１０９は、プロセス部における感光体ドラム２３、定着ユニット２７、プロセス部へ用紙を給送する各種ローラ、プロセス部にて画像形成された用紙を排出するために設けられた各種ローラ、切替ゲート等の動作を制御するために、メインモータＭのオン・オフ、メインモータＭの駆動力を前述した被駆動部へ伝達させるクラッチＣＬ１，ＣＬ２，ＣＬ３，…，ＣＬｎの入切を制御する。
【００５５】
ＨＤＤ１１１は、磁気記録媒体を有する記憶装置であり、その記憶領域は、外部から入力された画像データを記憶するためのデータ記憶領域として利用されている。ＨＤＤ１１１に記憶された画像データは、例えば、操作パネル１０５を通じて要求を受付けたときに読み出される。そのため、プリント処理の失敗又は出力部数の不足等のためにプリント処理を再度実行する必要がある場合には、データ記憶領域に記憶された画像データを任意に読出してプリント処理を実行させることができるようにしている。
【００５６】
図５は出力処理の際にデジタル複合機１００が実行する処理の手順を説明するフローチャートである。なお、本フローチャートでは、ＡＤＦの原稿トレイ１１ａに載置された原稿束から１枚ずつ原稿を読み取って出力処理を行う場合について説明する。まず、デジタル複合機１００は、操作パネル１０５を通じて出力条件の設定を受付ける（ステップＳ１１）。設定された出力条件はＲＡＭ１０４に保持される。次いで、ＣＰＵ１０１は、操作パネル１０５を通じて入力される情報を監視してスタートキー１０５ｆが押下操作されたか否かを判断することにより、原稿の読取開始指示が与えられたか否かを判断する（ステップＳ１２）。原稿の読取開始指示が与えられていないと判断した場合（Ｓ１２：ＮＯ）、読取開始指示が与えられるまで待機する。
【００５７】
原稿の読取開始指示が与えられたと判断した場合（Ｓ１２：ＹＥＳ）、ＣＰＵ１０１は駆動制御部１０９を制御することにより、原稿読取部１０に設けられたＡＤＦの呼込ローラ１３ａを駆動し、原稿の給送を開始する（ステップＳ１３）。呼込ローラ１３ａによって１枚ずつ分離給送された原稿は所定の搬送路に沿って搬送される。搬送される原稿が原稿台１１ｂの所定位置を通過する際、その原稿に記録された画像がＣＣＤラインセンサ１９によって読取られる（ステップＳ１４）。ＣＣＤラインセンサ１９が読み取った画像は画像データとして出力され、画像処理部１０７内の画像メモリに保持される。画像処理部１０７は、画像メモリに保持された画像データに対しステップＳ１１で設定された出力条件に基づいて必要な画像処理を施す。なお、出力条件として集約印刷が設定されている場合には、所望の頁分のデータが蓄積されるまで出力処理の実行を停止させる。
【００５８】
次いで、ＣＰＵ１０１は、画像処理部１０７にて画像処理が施された画像データに基づいて出力処理を実行する（ステップＳ１５）。例えば、出力処理として用紙上への画像形成が指定されている場合には、画像処理部１０７から読出した画像データを画像形成部２０へ転送し、用紙上への画像形成を完成させる。また、出力処理としてイメージ送信が指定されている場合には、画像処理部１０７から読出した画像データを通信ＩＦ１０８へ転送し、外部の装置（例えば、情報処理装置ＰＣ）へ送信する。
【００５９】
次いで、ＣＰＵ１０１は、全頁の出力処理が完了したか否かを判断する（ステップＳ１６）。原稿トレイ１１ａに載置された全原稿の画像を読取り、全頁の出力処理が完了したと判断した場合（Ｓ１６：ＹＥＳ）、本フローチャートによる処理を終了する。
【００６０】
例えば、原稿トレイ１１ａに読取りが未完了の原稿が残っており、全頁の出力処理が完了していないと判断した場合（Ｓ１６：ＮＯ）、ＣＰＵ１０１は、操作パネル１０５を通じて入力される情報を監視することにより、割込みキー１０５ｂが押下操作されたか否かを判断する（ステップＳ１７）。割込みキー１０５ｂが押下操作されていないと判断した場合（Ｓ１７：ＮＯ）、ＣＰＵ１０１は、処理をステップＳ１３へ戻し、ステップＳ１４からステップＳ１６までの処理を続行する。
【００６１】
割込みキー１０５ｂが押下操作されたと判断した場合（Ｓ１７：ＹＥＳ）、ＣＰＵ１０１は、駆動制御部１０９を制御することにより呼込ローラ１３ａ等の駆動を停止させ、原稿の給送を中断する（ステップＳ１８）。そして、図３（ａ）に示したような画面を操作パネル１０５の表示部１０５ａに表示し、出力条件の変更を受付ける（ステップＳ１９）。
【００６２】
ＣＰＵ１０１は、操作パネル１０５を通じて入力される情報を基に出力条件が変更されたか否かを判断する（ステップＳ２０）。出力条件が変更されていないと判断した場合（Ｓ２０：ＮＯ）、ＣＰＵ１０１は、処理をステップＳ１３へ戻し、原稿の給送を再開させた上でステップＳ１４からステップＳ１６までの処理を続行する。また、出力条件が変更されたと判断した場合（Ｓ２０：ＹＥＳ）、ＣＰＵ１０１は、画像形成部２０にて画像形成された用紙の排出先を切替えるために、駆動制御部１０９を制御して搬送路の切替えを行う（ステップＳ２１）。例えば、出力条件を変更する前の排出先が排紙トレイ４１であった場合、出力条件を変更した後の排出先を排紙トレイ４２とするために、切替ゲート４１ａ，４２ａにより搬送経路を切替え、排紙ローラ４２ｂを駆動させる。なお、出力処理がイメージ送信である場合には、本ステップによる処理を省略することができる。
【００６３】
搬送路の切替えを行った後、ＣＰＵ１０１は駆動制御部１０９を制御することにより、停止させていた呼込ローラ１３ａ等を駆動し、原稿の給送を再開させる（ステップＳ２２）。そして、呼込ローラ１３ａによって１枚ずつ分離給送された原稿は所定の搬送路に沿って搬送され、搬送時にその原稿に記録された画像がＣＣＤラインセンサ１９によって読取られる（ステップＳ２３）。ＣＣＤラインセンサ１９が読み取った画像は画像データとして出力され、画像処理部１０７内の画像メモリに保持される。画像処理部１０７は、画像メモリに保持された画像データに対し、変更された出力条件に基づいて必要な画像処理を施す。そして、ＣＰＵ１０１は、変更された出力条件にて出力処理を実行する（ステップＳ２４）。すなわち、出力処理として画像形成を行う場合には、変更された出力条件にて画像処理が施された画像データを画像処理部１０７から読出し、画像形成部２０へ転送することにより、用紙上への画像形成を完成させる。また、出力処理としてイメージ送信を行う場合には、変更された出力条件にて画像処理が施された画像データを画像処理部１０７から読出し、通信ＩＦ１０８へ転送することによって外部の装置（例えば、情報処理装置ＰＣ）へ送信する。
【００６４】
次いで、ＣＰＵ１０１は、全頁の出力処理が完了したか否かを判断する（ステップＳ２５）。例えば、原稿トレイ１１ａに読取りが未完了の原稿が残っており、全頁の出力処理が完了していないと判断した場合（Ｓ２５：ＮＯ）、ＣＰＵ１０１は、処理をステップＳ２２へ戻し、ステップＳ２２からステップＳ２５までの処理を続行する。また、原稿トレイ１１ａに載置された全原稿の画像を読取り、全頁の出力処理が完了したと判断した場合（Ｓ２５：ＹＥＳ）、本フローチャートによる処理を終了する。
【００６５】
実施の形態２．
実施の形態１では、ＡＤＦの原稿トレイ１１ａに載置された原稿束から１枚ずつ原稿を読取って出力処理を行う際に出力条件を変更する構成について説明したが、通信ＩＦ１０８を通じて受信したプリントジョブに基づいて出力処理を行う際に出力条件の変更を受付けるようにしてもよい。なお、装置構成については実施の形態１と全く同様であるため、その説明を省略することとする。
【００６６】
図６はプリントジョブに基づく出力処理の際にデジタル複合機１００が実行する処理の手順を説明するフローチャートである。通信ＩＦ１０８を通じてプリントジョブを受信した場合（ステップＳ３１）、ＣＰＵ１０１は、受信したプリントジョブを展開し（ステップＳ３２）、出力用の画像データを生成する。このとき、情報処理装置ＰＣのプリンタドライバにて設定された出力条件に従って画像データが生成され、生成された画像データは画像処理部１０７内の画像メモリに保持される。
【００６７】
次いで、ＣＰＵ１０１は、画像メモリに保持された画像データに基づいて出力処理を実行する（ステップＳ３３）。すなわち、画像処理部１０７内の画像メモリから画像データを読出して画像形成部２０へ転送し、用紙上への画像形成を完成させる。そして、ＣＰＵ１０１は、プリントジョブにより指定された全頁の出力処理が完了したか否かを判断する（ステップＳ３４）。全頁の出力処理が完了したと判断した場合（Ｓ３４：ＹＥＳ）、本フローチャートによる処理を終了する。
【００６８】
また、全頁の出力処理が完了していないと判断した場合（Ｓ３４：ＮＯ）、ＣＰＵ１０１は、プリントジョブの送信元（例えば、情報処理装置ＰＣ）から出力条件の変更要求を受信したか否かを判断する（ステップＳ３５）。本実施の形態では、デジタル複合機１００のジョブの実行状況を外部から監視するプリントモニタを通じて出力条件の変更を受付けるようにしており、ジョブの実行中に出力条件の変更を受付けた場合、デジタル複合機１００に対して変更要求を送信する。変更要求を受信していないと判断した場合（Ｓ３５：ＮＯ）、ＣＰＵ１０１は、ステップＳ３３へ処理を戻す。
【００６９】
通信ＩＦ１０８を通じて出力条件の変更要求を受信したと判断した場合（Ｓ３５：ＹＥＳ）、画像処理部１０７は、画像メモリに保持された画像データに対し、変更された出力条件に基づいて必要な画像処理を施し、画像処理後の画像データ、すなわち変更された出力条件にて出力処理を実行する（ステップＳ３６）。そして、ＣＰＵ１０１は、全頁の出力処理が完了したか否かを判断し（ステップＳ３７）、完了していないと判断した場合（Ｓ３７：ＮＯ）、ＣＰＵ１０１は、処理をステップＳ３６へ戻す。また、全頁の出力処理が完了したと判断した場合（Ｓ３７：ＹＥＳ）、本フローチャートによる処理を終了する。
【図面の簡単な説明】
【００７０】
【図１】本実施の形態に係るデジタル複合機の内部構成を示す模式的断面図である。
【図２】操作パネルの一例を示す模式図である。
【図３】操作パネルの表示部に表示される画面の一例を示す模式図である。
【図４】デジタル複合機の制御系の構成を説明するブロック図である。
【図５】出力処理の際にデジタル複合機が実行する処理の手順を説明するフローチャートである。
【図６】プリントジョブに基づく出力処理の際にデジタル複合機が実行する処理の手順を説明するフローチャートである。
【符号の説明】
【００７１】
１０  原稿読取部
２０  画像形成部
１０１  ＣＰＵ
１０２  バス
１０３  ＲＯＭ
１０４  ＲＡＭ
１０５  操作パネル
１０７  画像処理部
１０８  通信ＩＦ
１０９  駆動制御部
１１１  ＨＤＤ
Ｎ  通信ネットワーク
ＰＣ  情報処理装置
【図１】
2007019659.tif 000003
【図２】
2007019659.tif 000004
【図３】
2007019659.tif 000005
【図４】
2007019659.tif 000006
【図５】
2007019659.tif 000007
【図６】
2007019659.tif 000008